(57)【要約】  【課題】  内部メモリが揮発性であっても、記憶内容が消去されてしまうことがなく、かつ内部バッテリの電力消費を抑制して耐用期間を延ばすことができるデータ記憶装置を提供する。  【解決手段】  装着部２５に装着された外部バッテリであるメインバッテリ６０から揮発性メモリであるＳＲＡＭ１２への給電が可能であるか否かを判定する。給電が可能である場合は、メインバッテリ６０からＳＲＡＭ１２へ電力を供給する。これにより、メインバッテリ６０から給電が可能である場合は、内部バッテリであるボタン電池２２の電力消費を抑制して耐用期間を延ばすことができる。また、給電が可能でないと判定された場合は、ボタン電池２２からＳＲＡＭ１２へ電力を供給する。これにより、内部メモリが揮発性であっても、記憶内容が消去されてしまうことはない。【選択図】        図１
2006172008.tif 000002
【特許請求の範囲】
【請求項１】
データを記憶するための揮発性メモリを備えるデータ記憶装置において、
内部バッテリと、
外部バッテリを装着するための装着部と、
該装着部に装着された外部バッテリから前記揮発性メモリへの給電が可能であるか否かを判定する判定手段と、
該判定手段にて給電が可能であると判定された場合に、前記外部バッテリから前記揮発性メモリへ給電し、給電が可能でないと判定された場合に、前記内部バッテリから前記揮発性メモリへ給電するように制御する制御手段と
を備えることを特徴とするデータ記憶装置。
【請求項２】
データを記憶するための揮発性メモリを備えるデータ記憶装置において、
内部バッテリと、
該内部バッテリから前記揮発性メモリへの給電を行うか否かの選択を受け付ける受付手段と、
該受付手段にて前記内部バッテリから前記揮発性メモリへの給電を行うとの選択がなされた場合に、前記内部バッテリから前記揮発性メモリへ給電するように制御する制御手段と
を備えることを特徴とするデータ記憶装置。
【請求項３】
外部バッテリを装着するための装着部を備え、
前記制御手段は、前記受付手段にて前記内部バッテリから前記揮発性メモリへの給電を行わないとの選択がなされた場合に、前記外部バッテリから前記揮発性メモリへ給電するようにしてあること
を特徴とする請求項２に記載のデータ記憶装置。
【請求項４】
前記装着部は、前記外部バッテリを固定する固定部を備えること
を特徴とする請求項１又は請求項３に記載のデータ記憶装置。
【請求項５】
光ディスクの装着が可能な装着手段を備え、
データを光ディスクに記憶する場合に、光ディスクの管理情報を前記揮発性メモリに記憶するようにしてあること
を特徴とする請求項１乃至請求項４のいずれか１つに記載のデータ記憶装置。
【請求項６】
前記揮発性メモリの空き容量が不足した場合に警告情報を出力する手段を備えること
を特徴とする請求項１乃至請求項５のいずれか１つに記載のデータ記憶装置。
【請求項７】
画像を撮像して画像データを生成する撮像手段を備え、
前記揮発性メモリの空き容量が不足した場合に前記撮像手段による画像の撮像を禁止するようにしてあること
を特徴とする請求項１乃至請求項６のいずれか１つに記載のデータ記憶装置。
【発明の詳細な説明】
【技術分野】
【０００１】
本発明は、内部メモリが揮発性であっても、記憶内容が消去されてしまうことのないデータ記憶装置に関する。
【背景技術】
【０００２】
近年、ＣＣＤセンサ、ＣＭＯＳセンサなどの撮像素子を搭載したデジタルスチルカメラ、デジタルビデオカメラなどのデジタルカメラが普及している。デジタルカメラは、撮像素子によって光電変換されたアナログ形式の画像信号をデジタル形式に変換し、変換した信号を画像データとして記憶媒体に記憶する。近年では、撮像素子の性能、並びに、記憶媒体の記憶容量及びアクセス速度が向上し、いわゆる銀塩カメラと同様、連写撮影及び動画撮影が可能なデジタルカメラが実用化されている。また、小型（１インチ程度）のハードディスク装置が実用化されており、このような小型のハードディスク装置を記憶媒体としてデジタルカメラに搭載すれば、大容量の画像を記憶することが可能となることから、ハードディスク装置を搭載したデジタルカメラ（ビデオカメラ）の開発が行われている（例えば、特許文献１参照。）。
【０００３】
ハードディスク装置は、従来のシーケンシャルアクセス型のテープ状の記憶媒体とは異なり、ランダムにデータを記憶することができ、不要なデータを逐次消去することができる。さらに、所定のデータを瞬時に選択して再生することができるなど、その利点は大きい。また、ハードディスク装置がデジタルカメラに内蔵されていることから、ＤＶＤ±Ｒ，ＤＶＤ±ＲＷ，ＤＶＤ−ＲＡＭなどの光ディスク、又はＣＦカード、ＳＤメモリーカード、メモリースティック、スマートメディアなどのメモリーカード（半導体メモリ）を装着する必要がなく、利用者に手間をかけさせることはない。
【特許文献１】特開２００３−３０９７９７号公報
【発明の開示】
【発明が解決しようとする課題】
【０００４】
ところで、デジタルカメラにおいては、給電を遮断された場合であっても、撮像した画像に係るデータを保持しておく必要があるため、デジタルカメラに内蔵する記憶媒体には不揮発性が要求され、内蔵の記憶媒体としては、上述したように、小型のハードディスク装置、フラッシュメモリのような不揮発性の半導体メモリを用いる必要があった。
【０００５】
本発明は斯かる事情に鑑みてなされたものであり、内部メモリが揮発性である場合に、内部バッテリを設け、外部バッテリから内部メモリへの給電が可能であるか否かを判定し、給電が可能であると判定された場合には外部バッテリから内部メモリへ給電し、給電が可能でないと判定された場合には内部バッテリから内部メモリへ給電する構成とすることにより、内部メモリが揮発性であっても、記憶内容が消去されてしまうことがなく、かつ内部バッテリの電力消費を抑制して耐用期間を延ばすことができるデータ記憶装置の提供を目的とする。
【０００６】
また本発明は、内部メモリが揮発性である場合に、内部バッテリを設け、内部バッテリから内部メモリへの給電を行うか否かの選択を受け付け、給電を行うとの選択がなされた場合に、内部バッテリから内部メモリへ給電する構成とすることにより、内部メモリが揮発性であっても、記憶内容が消去されてしまうことのないデータ記憶装置の提供を目的とする。
【０００７】
また本発明は、給電を行わないとの選択がなされた場合に、外部バッテリから内部メモリへ給電する構成とすることにより、内部バッテリの電力消費を抑制して耐用期間を延ばすことができるデータ記憶装置の提供を目的とする。
【０００８】
また本発明は、外部バッテリを固定する固定部を備える構成とすることにより、外部バッテリが簡単に外されることを抑制し、外部バッテリから内部メモリへの給電を優先することで、内部バッテリの耐用期間を延ばすことができるデータ記憶装置の提供を目的とする。
【０００９】
また本発明は、データを光ディスクに記憶する場合に、光ディスクの管理情報を内部メモリに記憶する構成とすることにより、データの光ディスクへの記憶が終了する場合に、内部メモリに記憶しておいた管理情報を光ディスクに記憶してファイナライズ処理を行うことができるデータ記憶装置の提供を目的とする。
【００１０】
また本発明は、内部メモリの空き容量が不足した場合に警告情報を出力する構成とすることにより、利用者に内部メモリの空き容量の状況を報知して、利用者の不安感を解消することができるデータ記憶装置の提供を目的とする。
【００１１】
また本発明は、内部メモリの空き容量が不足した場合に画像の撮像を禁止する構成とすることにより、撮像したにもかかわらず、空き容量不足のために、撮像された画像に係るデータを記憶することができないという無駄を排除することができるデータ記憶装置の提供を目的とする。
【課題を解決するための手段】
【００１２】
本発明に係るデータ記憶装置は、データを記憶するための揮発性メモリを備えるデータ記憶装置において、内部バッテリと、外部バッテリを装着するための装着部と、該装着部に装着された外部バッテリから前記揮発性メモリへの給電が可能であるか否かを判定する判定手段と、該判定手段にて給電が可能であると判定された場合に、前記外部バッテリから前記揮発性メモリへ給電し、給電が可能でないと判定された場合に、前記内部バッテリから前記揮発性メモリへ給電するように制御する制御手段とを備えることを特徴とする。
【００１３】
本発明にあっては、装着部に装着された外部バッテリから揮発性メモリへの給電が可能であるか否かを判定し、給電が可能であると判定された場合は、外部バッテリから揮発性メモリへ電力を供給する。これにより、外部バッテリから給電が可能である場合は、内部バッテリの電力消費を抑制して耐用期間を延ばすことができる。また、給電が可能でないと判定された場合は、内部バッテリから揮発性メモリへ電力を供給する。これにより、内部メモリが揮発性であっても、記憶内容が消去されてしまうことはない。
【００１４】
本発明に係るデータ記憶装置は、データを記憶するための揮発性メモリを備えるデータ記憶装置において、内部バッテリと、該内部バッテリから前記揮発性メモリへの給電を行うか否かの選択を受け付ける受付手段と、該受付手段にて前記内部バッテリから前記揮発性メモリへの給電を行うとの選択がなされた場合に、前記内部バッテリから前記揮発性メモリへ給電するように制御する制御手段とを備えることを特徴とする。
【００１５】
本発明にあっては、内部バッテリから揮発性メモリへの給電を行うか否かの選択を受け付け、給電を行うとの選択がなされた場合に、内部バッテリから揮発性メモリへ電力を供給する。これにより、内部メモリが揮発性であっても、記憶内容が消去されてしまうことはない。
【００１６】
本発明に係るデータ記憶装置は、外部バッテリを装着するための装着部を備え、前記制御手段は、前記受付手段にて前記内部バッテリから前記揮発性メモリへの給電を行わないとの選択がなされた場合に、前記外部バッテリから前記揮発性メモリへ給電するようにしてあることを特徴とする。
【００１７】
本発明にあっては、内部バッテリから揮発性メモリへの給電を行うとの選択がなされた場合に、装着部に装着された外部バッテリから揮発性メモリへ電力を供給する。これにより、内部バッテリの電力消費を抑制して耐用期間を延ばすことができる。
【００１８】
本発明に係るデータ記憶装置は、前記装着部は、前記外部バッテリを固定する固定部を備えることを特徴とする。
【００１９】
本発明にあっては、外部バッテリを固定する固定部によって、外部バッテリが簡単に外されることが抑制される。これにより、外部バッテリから揮発性メモリへの給電を優先することで、内部バッテリの耐用期間を延ばすことができる。
【００２０】
本発明に係るデータ記憶装置は、光ディスクの装着が可能な装着手段を備え、データを光ディスクに記憶する場合に、光ディスクの管理情報を前記揮発性メモリに記憶するようにしてあることを特徴とする。
【００２１】
本発明にあっては、例えば、揮発性メモリのメモリ領域のうちの所定領域（例えば、４Ｍバイト）を、光ディスクへのデータの記憶に必要な管理情報のメモリ領域として割当て、管理情報を記憶する。そして、光ディスクへのデータの記憶が終了する場合に、揮発性メモリに記憶しておいた管理情報を光ディスクに書き込んでファイナライズ処理を行う。
【００２２】
本発明に係るデータ記憶装置は、前記揮発性メモリの空き容量が不足した場合に警告情報を出力する手段を備えることを特徴とする。
【００２３】
本発明にあっては、揮発性メモリの空き容量が不足した場合に警告情報を出力することにより、利用者に揮発性メモリの空き容量の状況を報知して、利用者の不安感を解消することができる。
【００２４】
本発明に係るデータ記憶装置は、画像を撮像して画像データを生成する撮像手段を備え、前記揮発性メモリの空き容量が不足した場合に前記撮像手段による画像の撮像を禁止するようにしてあることを特徴とする。
【００２５】
本発明にあっては、揮発性メモリの空き容量が不足した場合に画像の撮像を禁止することにより、撮像したにもかかわらず、空き容量不足のために、撮像された画像に係るデータ（画像データ）を記憶することができないという無駄を排除することができる。
【発明の効果】
【００２６】
本発明によれば、内部メモリが揮発性である場合に、内部バッテリを設け、外部バッテリから内部メモリへの給電が可能であるか否かを判定し、給電が可能であると判定された場合には外部バッテリから内部メモリへ給電し、給電が可能でないと判定された場合には内部バッテリから内部メモリへ給電する構成としたので、内部メモリが揮発性であっても、記憶内容が消去されてしまうことがなく、かつ内部バッテリの電力消費を抑制して耐用期間を延ばすことができる。
【００２７】
本発明によれば、内部メモリが揮発性である場合に、内部バッテリを設け、内部バッテリから内部メモリへの給電を行うか否かの選択を受け付け、給電を行うとの選択がなされた場合に、内部バッテリから内部メモリへ給電する構成としたので、内部メモリが揮発性であっても、記憶内容が消去されてしまうことはない。
【００２８】
本発明によれば、給電を行わないとの選択がなされた場合に、外部バッテリから内部メモリへ給電する構成としたので、内部バッテリの電力消費を抑制して耐用期間を延ばすことができる。
【００２９】
本発明によれば、外部バッテリを固定する固定部を備える構成としたので、外部バッテリが簡単に外されることを抑制し、外部バッテリから内部メモリへの給電を優先することで、内部バッテリの耐用期間を延ばすことができる。
【００３０】
本発明によれば、データを光ディスクに記憶する場合に、光ディスクの管理情報を内部メモリに記憶する構成としたので、データの光ディスクへの記憶が終了する場合に、内部メモリに記憶しておいた管理情報を光ディスクに記憶してファイナライズ処理を行うことができる。
【００３１】
本発明によれば、内部メモリの空き容量が不足した場合に警告情報を出力する構成としたので、利用者に内部メモリの空き容量の状況を報知して、利用者の不安感を解消することができる。
【００３２】
本発明によれば、内部メモリの空き容量が不足した場合に画像の撮像を禁止する構成としたので、撮像したにもかかわらず、空き容量不足のために、撮像された画像に係るデータを記憶することができないという無駄を排除することができる等、優れた効果を奏する。
【発明を実施するための最良の形態】
【００３３】
以下、本発明をその実施の形態を示す図面に基づいて詳述する。
【００３４】
（実施の形態１）
図１は本発明の実施の形態１に係るデータ記憶装置であるビデオカメラの一例を示すブロック図である。
本発明の実施の形態１に係るビデオカメラ１は、ＣＰＵで構成された制御部１０、ＮＯＲ型フラッシュメモリ１１、ＳＲＡＭ１２、ＳＤＲＡＭ１３、画像処理部１４、操作部１６、表示部１７、ＤＶＤドライブ１８、ＳＤカードスロット１９、出力部２０、整流素子２１、ボタン電池２２、ＦＥＴ２３、フリップフロップ回路２４、及び装着部２５を備える。制御部１０は、これら各部を制御し、ＮＯＲ型フラッシュメモリ１１に予め格納されているコンピュータプログラムに従って種々の機能を実行し、各部と連携して又は単独で本発明における各種の手段として機能する。
【００３５】
ＳＲＡＭ１２は、整流素子２１を介して装着部２５に装着されたメインバッテリ６０に接続されている。メインバッテリ６０は着脱が可能な外部バッテリであり、メインバッテリ６０が簡単に外されることがないように、プランジャーのような固定部でビデオカメラ１に固定されている。また、ＳＲＡＭ１２は、ＦＥＴ２３を介して内部バッテリであるボタン電池２２に接続されている。ＦＥＴ２３は、フリップフロップ回路２４に接続されており、フリップフロップ回路２４は制御部１０によって制御される。
【００３６】
例えば、ＳＲＡＭ１２は、３２Ｍバイトの容量を有しており、そのうちの４Ｍバイトを動画データのＤＶＤ３０への記憶の際に必要な管理情報のメモリ領域として割当て、残りの２８Ｍバイトを動画データ及び静止画データのメモリ領域として割当てる。ＳＤＲＡＭ１３は、制御部１０によるコンピュータプログラムの実行時に発生する一時的なデータを記憶するものである。
【００３７】
制御部１０は、ＳＲＡＭ１２への給電が可能であるか否かを判定する手段として機能し、メインバッテリ６０が未装着であったり、メインバッテリ６０の残容量がないなど、メインバッテリ６０によるＳＲＡＭ１２への給電が可能でないと判定された場合に、フリップフロップ回路２４にオン情報を与える。オン情報が与えられたフリップフロップ回路２４はＦＥＴ２３をオンして、ボタン電池２２からＳＲＡＭ１２に電力を供給する。フリップフロップ回路２４は、オフ情報が与えられるまでオン情報を保持することから、ＦＥＴ２３のオン状態を保持する。
【００３８】
一方、制御部１０は、メインバッテリ６０によるＳＲＡＭ１２への給電が可能であると判定された場合に、フリップフロップ回路２４にオフ情報を与える。オフ情報が与えられたフリップフロップ回路２４はＦＥＴ２３をオフして、ボタン電池２２からＳＲＡＭ１２への電力供給を遮断する。フリップフロップ回路２４は、オン情報が与えられるまでオフ情報を保持することから、ＦＥＴ２３のオフ状態を保持する。
【００３９】
このようにして、制御部１０は、メインバッテリ６０によるＳＲＡＭ１２への給電が可能であるか否かに基づいて、フリップフロップ回路２４を介してボタン電池２２からＳＲＡＭ１２への電力の供給を制御する。ＳＲＡＭ１２は、電力の供給が遮断された場合、記憶内容が消去されてしまうが、メインバッテリ６０によるＳＲＡＭ１２への給電が可能でない場合には、ボタン電池２２から電力が供給されるため、記憶内容が消去されてしまうことはない。
【００４０】
また、メインバッテリ６０によるＳＲＡＭ１２への給電が可能である場合、つまり、ボタン電池２２からＳＲＡＭ１２への電力供給が不要な場合には、ボタン電池２２からのＳＲＡＭ１２への電力供給が遮断されるため、ボタン電池２２の無駄な電力が消費されることを防止できる。例えば、ＳＲＡＭ１２の駆動に必要な電力（電流）としては１０μＡ〜２０μＡレベルであり、ボタン電池２２の種類にも依存するが、ボタン電池２２からＳＲＡＭ１２に電力を常時供給した場合には数ヶ月で蓄電量がなくなってしまうが、メインバッテリ６０が装着されていない場合にボタン電池２２の電力が消費されるだけであるので、ボタン電池２２の耐用期間を延ばすことができる。
【００４１】
さらに、制御部１０は、ＳＲＡＭ１２の空き容量が不足した場合に警告情報を出力するよう指示する指示信号を生成し、表示部１７へ出力することにより、表示部１７にＳＲＡＭ１２の空き容量が不足したことを示す警告画像を表示して利用者に報知する。また、制御部１０は、ＳＲＡＭ１２の空き容量が不足した場合に、撮像の禁止を指示する指示信号を生成し、撮像素子１４ａへ出力することにより、撮像素子による画像の撮像を禁止する。
【００４２】
画像処理部１４は、ＣＣＤ又はＣＭＯＳなどの撮像素子１４ａ、ＡＤＣ（アナログ・デジタル・コンバータ）１４ｂ、コーデック１４ｃ、ＤＡＣ（デジタル・アナログ・コンバータ）１４ｄを備えている。撮像素子１４ａは入射される光を光電変換してアナログ形式の電気信号を生成する。ＡＤＣ１４ｂは、撮像素子１４ａにて生成されたアナログ形式の電気信号を所定のサンプリング周波数でデジタル化してコーデック１４ｃへ出力する。コーデック１４ｃは、デジタル化された電気信号を動画データ（例えばＭＰＥＧ形式）又は静止画データ（例えばＪＰＥＧ形式）に符号化する。なお、符号化形式としては、例えば動画の場合、ＤＶ圧縮形式、モーションＪＰＥＧ形式などであってもよく、その規格については限定されるものではない。
【００４３】
ＤＶＤドライブ１８は、図示しない光ピックアップ部を備えており、挿入された記憶媒体（ＤＶＤ）３０にアクセスして、各種のデータの読み出し及び書き込みを行う。制御部１０は、画像処理部１４にて処理された動画データをＤＶＤドライブ１８に挿入された記憶媒体（ＤＶＤ）３０に記憶する。その際、制御部１０は、ＳＲＡＭ１２のうちの４Ｍバイトの領域に、ＤＶＤ３０の管理情報を記憶して、ＤＶＤ３０への記憶が終了する場合に、ＳＲＡＭ１２に記憶しておいた管理情報をＤＶＤ３０に記憶してファイナライズ処理を行う。管理情報は３０秒毎に更新されるが、ＳＲＡＭ１２の書き込みが高速なため、管理情報の記憶処理が他の処理に弊害を及ぼすことはない。
【００４４】
また、ＤＶＤ３０に記憶されている動画データは、ＤＶＤドライブ１８によって読み出され、コーデック１４ｃにて復号化されてＤＡＣ１４ｄへ出力される。ＤＡＣ１４ｄは、動画データをアナログ形式の電子信号として出力部２０へ出力する。出力部２０は、液晶ディスプレイ又はＣＲＴディスプレイなどの表示機器５０の接続が可能になっており、出力部２０から出力された電気信号に係る動画が表示機器５０に表示される。
【００４５】
ＳＤカードスロット１９は、装置に着脱自在な記憶媒体（ここではＳＤカード）４０を装着するための接続部であり、ＳＤカードスロット１９に挿入されたＳＤカード４０にアクセスして、各種のデータの読み出し及び書き込みを行う。制御部１０は、画像処理部１４にて処理された静止画データをＳＤカードスロット１９に挿入されたＳＤカード４０に記憶する。
【００４６】
また、ＳＤカード４０に記憶されている静止画データは、ＳＤカードスロット１９によって読み出され、コーデック１４ｃにて復号化されてＤＡＣ１４ｄへ出力される。ＤＡＣ１４ｄは、静止画データをアナログ形式の電子信号として出力部２０へ出力する。出力部２０は、液晶ディスプレイ又はＣＲＴディスプレイなどの表示機器５０の接続が可能になっており、出力部２０から出力された電気信号に係る静止画が表示機器５０に表示される。
【００４７】
操作部１６は、動画を撮像するか、又は静止画を撮像するかの指定を利用者から受け付けたりするなど、ビデオカメラ１を操作するための各種のファンクションキーを備えている。
【００４８】
表示部１７は、液晶ディスプレイ又はＬＥＤディスプレイなどの表示デバイスで構成されており、ビデオカメラ１の動作状態の表示、利用者へ操作入力を促す画面の表示などを適宜行う。なお、表示部１７をタッチパネル方式とすることにより、操作部１６の各種のファンクションキーのうちの一部又は全部を代用することも可能である。
【００４９】
次に、ビデオカメラ１が行う動作手順を、フローチャートを用いて説明する。図２は本発明の実施の形態１に係るデータ記憶装置としてのビデオカメラ１の動作手順を示すフローチャートである。なお、動作手順は一例であり、これに限定されるものではない。また、このような動作手順は、ＮＯＲ型フラッシュメモリ１１へ予めコンピュータプログラムを組み込んでおくことにより行うことができる。
【００５０】
制御部１０は、ＳＲＡＭ１２の空き容量を検出して、空き容量が不足するか否かを判定する（ステップＳ１）。Ｓ１において、空き容量が不足すると判定された場合（Ｓ１：ＹＥＳ）、制御部１０は、警告情報を出力するよう指示する指示信号を生成し、表示部１７へ出力して表示部１７にその旨を示す警告画像を出力（表示）して利用者に報知する（ステップＳ２）。さらに、制御部１０は、撮像の禁止を指示する指示信号を生成し、撮像素子１４ａへ出力することにより、撮像素子による画像の撮像を禁止する（ステップＳ３）。
【００５１】
一方、Ｓ１において、空き容量が不足しないと判定された場合（Ｓ１：ＮＯ）、メインバッテリ６０からＳＲＡＭ１２への給電が可能であるか否かを判定する（ステップＳ４）。Ｓ４において、メインバッテリ６０からＳＲＡＭ１２への給電が可能でないと判定された場合（Ｓ４：ＮＯ）、制御部１０は、フリップフロップ回路２４にオン情報（信号）を与える（ステップＳ５）。そして、フリップフロップ回路２４はオン信号に基づいてＦＥＴ２３をオンする（ステップＳ６）。ＦＥＴ２３はボタン電池２２とＳＲＡＭ１２との間に設けられており、ＦＥＴ２３がオンされることにより、ボタン電池２２からＳＲＡＭ１２に電力が供給される（ステップＳ７）。このようにして、ボタン電池２２から電力が供給されるため、記憶内容が消去されてしまうことはない。
【００５２】
一方、Ｓ４において、メインバッテリ６０からＳＲＡＭ１２への給電が可能であると判定された場合（Ｓ４：ＹＥＳ）、制御部１０は、フリップフロップ回路２４にオフ情報（信号）を与える（ステップＳ８）。これにより、フリップフロップ回路２４はオフ信号に基づいてＦＥＴ２３をオフする（ステップＳ９）。ＦＥＴ２３がオフされることにより、ボタン電池２２からＳＲＡＭ１２に電力が供給されるのではなく、メインバッテリ６０からＳＲＡＭ１２に電力が供給される（ステップＳ１０）。このようにして、メインバッテリ６０から電力が供給されるため、記憶内容が消去されてしまうことはない。また、メインバッテリ６０からＳＲＡＭ１１への給電が可能である場合には、ボタン電池２２からＳＲＡＭ１２への電力の供給を遮断して、ボタン電池２２の耐用期間を延ばすことができる。
【００５３】
（実施の形態２）
図３は本発明の実施の形態２に係るデータ記憶装置であるビデオカメラの一例を示すブロック図である。
本発明の実施の形態２に係るビデオカメラ２は、制御部１０、ＮＯＲ型フラッシュメモリ１１、ＳＲＡＭ１２、整流素子２１、ボタン電池２２、ＦＥＴ２３、フリップフロップ回路２４、装着部２５、ＳＤＲＡＭ１３、画像処理部１４、操作部３６、表示部１７、ＤＶＤドライブ１８、ＳＤカードスロット１９及び出力部２０を備える。
【００５４】
操作部３６は、ボタン電池２２からＳＲＡＭ１２への給電を行うか否かの選択を受け付けるホールドキー３６ａを備えている。ホールドキー３６ａが押下されることによってボタン電池２２からＳＲＡＭ１２への給電を行い、押下されていない場合は、メインバッテリ６０からＳＲＡＭ１２へ給電されるように構成されている。その他の構成は図１と同様であるので、対応する部分には同一の符号を付してその詳細な説明を省略する。
【００５５】
次に、ビデオカメラ２が行う動作手順を、フローチャートを用いて説明する。図４は本発明の実施の形態２に係るデータ記憶装置としてのビデオカメラ２の動作手順を示すフローチャートである。なお、動作手順は一例であり、これに限定されるものではなく、ＳＲＡＭ１２の空き容量が十分ある場合の処理について説明する。
【００５６】
制御部１０は、ホールドキー３６ａが押下されているか否かを判定する（ステップＳ１１）。Ｓ１１において、ホールドキー３６ａが押下されていると判定された場合（Ｓ１１：ＹＥＳ）、制御部１０は、フリップフロップ回路２４にオン情報（信号）を与える（ステップＳ１２）。そして、フリップフロップ回路２４はオン信号に基づいてＦＥＴ２３をオンする（ステップＳ１３）。ＦＥＴ２３がオンされることにより、ボタン電池２２からＳＲＡＭ１２に電力が供給される（ステップＳ１４）。このようにして、ボタン電池２２から電力が供給されるため、記憶内容が消去されてしまうことはない。
【００５７】
一方、Ｓ１１において、ホールドキー３６ａが押下されていないと判定された場合（Ｓ１１：ＮＯ）、制御部１０は、フリップフロップ回路２４にオフ情報（信号）を与える（ステップＳ１５）。そして、フリップフロップ回路２４はオフ信号に基づいてＦＥＴ２３をオフする（ステップＳ１６）。ＦＥＴ２３がオフされることにより、ボタン電池２２からＳＲＡＭ１２に電力が供給されるのではなく、メインバッテリ６０からＳＲＡＭ１２に電力が供給される（ステップＳ１７）。このようにして、メインバッテリ６０から電力が供給されるため、記憶内容が消去されてしまうことはない。また、ホールドキー３６ａが押下されていない場合には、ボタン電池２２からＳＲＡＭ１２への電力の供給を遮断して、ボタン電池２２の耐用期間を延ばすことができる。
【００５８】
上述したように、利用者によるホールドキー３６ａの押下に基づいて、ＳＲＡＭ１２への電力の給電を切り換えることができる。なお、内部メモリがＳＲＡＭである場合について説明したが、揮発性メモリであれば、その種類が限定されるものではない。
【図面の簡単な説明】
【００５９】
【図１】本発明の実施の形態１に係るデータ記憶装置であるビデオカメラの一例を示すブロック図である。
【図２】本発明の実施の形態１に係るデータ記憶装置としてのビデオカメラの動作手順を示すフローチャートである。
【図３】本発明の実施の形態２に係るデータ記憶装置であるビデオカメラの一例を示すブロック図である。
【図４】本発明の実施の形態２に係るデータ記憶装置としてのビデオカメラの動作手順を示すフローチャートである。
【符号の説明】
【００６０】
１，２  ビデオカメラ
１０  制御部
１１  ＮＯＲ型フラッシュメモリ
１２  ＳＲＡＭ
１４  画像処理部
１６，３６  操作部
３６ａ  ホールドキー
１８  ＤＶＤドライブ
１９  ＳＤカードスロット
２１  整流素子
２２  ボタン電池
２３  ＦＥＴ
２４  フリップフロップ回路
２５  装着部
３０  記憶媒体（ＤＶＤ）
４０  記憶媒体（ＳＤカード）
６０  メインバッテリ
【図１】
2006172008.tif 000003
【図２】
2006172008.tif 000004
【図３】
2006172008.tif 000005
【図４】
2006172008.tif 000006